(57)【要約】【課題】セキュリティ性を改善し、なお且つ製造効率を高い次元で改善することが可能である。【解決手段】ＩＣカード発行システムは、予め電子的に閉塞しＩＣカードを活性化するための鍵情報を有したＩＣカードに、少なくともＩＣカードの種別情報を有する情報からＩＣカードを活性化するための鍵を解除する情報を発行機により新たに生成または選択し、鍵情報によりＩＣカードを活性化し電子情報記録及び券面印刷を行う。【選択図】図１
2005044056.tif 000002
【特許請求の範囲】
【請求項１】
予め電子的に閉塞しＩＣカードを活性化するための鍵情報を有したＩＣカードに、少なくとも前記ＩＣカードの種別情報を有する情報から前記ＩＣカードを活性化するための鍵を解除する情報を電子情報及び券面印刷を行う発行機により新たに生成または選択し、
前記鍵情報により前記ＩＣカードを活性化し電子情報記録及び券面印刷を行うことを特徴とするＩＣカード発行システム。
【請求項２】
予め電子的に閉塞しＩＣカードを活性化するための鍵情報を有したＩＣカードを収納し、前記ＩＣカードに電子情報及び券面印刷を行う発行機へ装填するＩＣカードマガジンの一部に、少なくとも前記ＩＣカードの種別情報を記録して有し、
前記記録情報を前記発行機で検出または設定し、
前記記録情報より前記ＩＣカードを活性化するための鍵を解除する情報を生成または選択し、
前記鍵情報により前記ＩＣカードを活性化し電子情報記録及び券面印刷を行うことを特徴とするＩＣカード発行システム。
【請求項３】
ＩＣカードに少なくともＩＣカードを活性化するための鍵情報を生成し電子的に閉塞する工程と、
ＩＣカードをＩＣカードマガジンに充填し密閉する工程と、
前記ＩＣカードマガジンに少なくとも前記ＩＣカードの種別情報を記録する工程と、
前記ＩＣカードマガジンを前記ＩＣカードに電子情報記録及び券面印刷を行う発行機に装填し前記ＩＣカードの種別情報を検出または設定する工程と、
検出した前記ＩＣカードの種別情報より鍵を解除する情報を生成または選択し前記ＩＣカードを活性化し電子情報記録及び券面印刷を行う工程を有することを特徴とするＩＣカード発行システム。
【請求項４】
予め電子的に閉塞しＩＣカードを活性化するための鍵情報を有したＩＣカードと、
前記ＩＣカードの種別情報と発行機に有する鍵を解除する情報を演算処理を用いて照合を行う処理手段とを有し、
前記ＩＣカードの種別情報と前記鍵を解除する情報との同一性を検出したものについて、鍵を解除する情報を用いて前記ＩＣカードを活性化し電子情報記録及び券面印刷を行うことを特徴とするＩＣカード発行システム。
【請求項５】
前記ＩＣカードの種別情報が、前記ＩＣカードを収納したＩＣカードマガジンに添付されたことを特徴とする請求項４に記載のＩＣカード発行システム。
【請求項６】
前記ＩＣカードマガジンに電子情報を有するＩＣチップを埋め込みまたは貼り付け、接触方式または非接触方式により検出することを特徴とする請求項２乃至請求項５のいずれか１項に記載のＩＣカード発行システム。
【請求項７】
前記ＩＣカードマガジンに２値画像よりなる光学読み取り方式による電子情報を有し、非接触方式により検出することを特徴とする請求項２乃至請求項５のいずれか１項に記載のＩＣカード発行システム。
【請求項８】
前記ＩＣカードマガジンに磁気読み取り方式による電子情報を有し、接触方式により検出することを特徴とする請求項２乃至請求項５のいずれか１項に記載のＩＣカード発行システム。
【請求項９】
前記ＩＣカードの種別情報が、製造年月日・製造ロット・製造場所・カード種類からなるカード製造情報、ＩＣカードを活性化するための鍵情報の一部から選ばれる情報であることを特徴とする請求項１乃至請求項８のいずれか１項に記載のＩＣカード発行システム。
【請求項１０】
予め電子的に閉塞しＩＣカードを活性化するための鍵情報を有したＩＣカードを収納したＩＣカードマガジンを装填する手段と、
装填した前記ＩＣカードマガジンより記録されたＩＣカードの種別情報を読み出しまたは前記ＩＣカードの種別情報を設定する手段と、
検出した前記ＩＣカードの種別情報より鍵を解除する情報を生成または選択する手段と、
前記鍵情報によりＩＣカードを活性化し電子情報記録を行う手段と、
前記ＩＣカードに券面印刷を行う手段と、
前記券面印刷を保護する保護材を付加する手段とを有することを特徴とするＩＣカード発行装置。
【請求項１１】
前記読み出した情報で、ＩＣカードを活性化し電子情報記録を行う手段の動作、非動作を選択する手段を有することを特徴とする請求項１０に記載のＩＣカード発行装置。
【請求項１２】
前記ＩＣカードの種別情報が、製造年月日・製造ロット・製造場所・カード種類からなるカード製造情報、ＩＣカードを活性化するための鍵情報の一部から選ばれる情報であることを特徴とする請求項１０または請求項１１に記載のＩＣカード発行装置。
【発明の詳細な説明】
【０００１】
【発明の属する技術分野】
この発明は、偽造、変造防止等の安全性（セキュリティ）が要求される個人情報等を記憶するＩＣチップ及びアンテナを有するＩＣモジュールを内蔵する非接触式の電子カードシステムに適用して好適なＩＣカード発行システム及びＩＣカード発行装置に関する。
【０００２】
【従来の技術】
身分証明書カード（ＩＤカード）やクレジットカードなどには、従来磁気記録方式によりデータを記録する磁気カードが広く利用されてきた。しかしながら、磁気カードはデータの書き換えが比較的容易にできるため、データの改ざん防止が十分でないこと、磁気のため外的な影響を受けやすく、データの保護が十分でないこと、さらに記録できる容量が少ないなどの問題点があった。そこで、近年ＩＣチップを内蔵したＩＣカードが普及し始めている。  このようなＩＣカードとして、例えば一対の支持体間が接着剤を介在して貼り合わされ、その接着剤層中にＩＣチップおよびアンテナを有するＩＣモジュールを封入するものがある（例えば、特許文献１）。
【０００３】
このＩＣカードは、表面に設けられた電気接点やカード内部のループアンテナを介して外部の機器とデータの読み書きをする。ＩＣカードは磁気カードに比べて記憶容量が大きく、セキュリティ性も大きく向上している。特に、カード内部にＩＣチップと外部との情報のやりとりをするためのアンテナを内蔵し、カード外部に電気接点を持たない非接触式ＩＣカードは、電気接点をカード表面にもつ接触式ＩＣカードに比べてセキュリティ性が優れ、ＩＤカードのようにデータの機密性と偽変造防止性を高く要求する用途に使用されつつある。
【０００４】
このようなＩＣカードは、セキュリティ性が高いために偽造変造に対するセキュリティ上の耐久性が重要になっている。一般にＩＣカードを発注、製造、電子情報として、２次発行といわれる氏名、住所、電子マネーなどの個人情報や金銭情報を記録し完成するが、発行を行い、受取人へ正しいＩＣカードを受け渡されることを保証するためその過程で悪意のあるものによるデータの改竄、盗難による偽造、などの問題を防止する一つの手段として、ＩＣカードに正規な２次発行を行うまでは動作しないように電子的に施錠（輸送鍵）にするなどの手段がなされている（例えば、特許文献２）。
【０００５】
具体的には、例えば、カード製造者、カード発行者の間で、カード発行者が、電子的に施錠（輸送鍵）情報をカード製造者に渡す。カード製造者は、ＩＣカード製造時にその鍵情報をＩＣチップの読み出しができないが照合は可能なエリアに設定し、カード発行者に納品する。カード発行者は、そのエリアに鍵情報が設定されていることを、所定の照合コマンドによって確認する。カード発行者は、その鍵情報を新しい鍵に書き換えて、サービスを提供するためのＩＣカードとしてカード利用者に発行する。このように、鍵情報をカード発行者だけが知る新しい鍵で書き換えることで、鍵情報の漏洩によるＩＣカードの不正処理を防ぐことができる。また、輸送中の盗難や漏洩を防ぐため、鍵情報を直接の手渡しもしくは書留郵便により郵送したり、ロット毎または発注毎に鍵情報を変更するなどされている。
【０００６】
【特許文献１】
特開２０００−１８２０１９号公報
【０００７】
【特許文献２】
特開２００１−３３８２６７号公報
【０００８】
【発明が解決しようとする課題】
しかしながら、悪意のある第三者に対しては、電子施錠の解析やランダム検索などにより、電子的に施錠を解除させ、偽造したり、カード製造者が輸送鍵を設定した後、ＩＣカードをカード発行者に納品するまでの間に、そのＩＣカードが盗難され、かつ不正に輸送鍵を入手することで、カード発行者になりすまして偽造ＩＣカードの発行処理等の不正を行うことができたり、カードのみの情報で施錠情報を読みとってしまうことが可能であったり偽造防止効果が十分でなかった。
【０００９】
また、多品種カードや多種類の電子的施錠（輸送鍵）を施したカードを発行機で発行する場合、顧客との間で取り交わした鍵情報が多品種になることでカードに合った鍵情報を選択し設定する作業が製造効率を低下させ、また、発行機にデータを保存しておく場合は、データの盗難などセキュリティ上の問題や、対策に費用がかかるなど問題が発生していた。
【００１０】
この発明では、このようなセキュリティ性を改善し、なお且つ製造効率を高い次元で改善することが可能なＩＣカード発行システム及びＩＣカード発行装置を提供することを目的としている。
【００１１】
【発明が解決しようとする課題】
前記課題を解決し、かつ目的を達成するために、この発明は、以下のように構成した。
【００１２】
請求項１に記載の発明は、予め電子的に閉塞しＩＣカードを活性化するための鍵情報を有したＩＣカードに、少なくとも前記ＩＣカードの種別情報を有する情報から前記ＩＣカードを活性化するための鍵を解除する情報を電子情報及び券面印刷を行う発行機により新たに生成または選択し、
前記鍵情報により前記ＩＣカードを活性化し電子情報記録及び券面印刷を行うことを特徴とするＩＣカード発行システムである。
【００１３】
この請求項１に記載の発明によれば、ＩＣカードの種別情報を有する情報からＩＣカードを活性化するための鍵を解除する情報を電子情報及び券面印刷を行う発行機により新たに生成または選択し、鍵情報によりＩＣカードを活性化し電子情報記録及び券面印刷を行うことで、ＩＣカードの鍵情報に加え、ＩＣカードの種別情報と、発行機内で生成、選択を行う鍵情報との３種の照合確認がなければ、ＩＣカードの２次発行が行われず、飛躍的にセキュリティ性が向上し、製造効率を高い次元で改善することができる。
【００１４】
請求項２に記載の発明は、予め電子的に閉塞しＩＣカードを活性化するための鍵情報を有したＩＣカードを収納し、前記ＩＣカードに電子情報及び券面印刷を行う発行機へ装填するＩＣカードマガジンの一部に、少なくとも前記ＩＣカードの種別情報を記録して有し、
前記記録情報を前記発行機で検出または設定し、
前記記録情報より前記ＩＣカードを活性化するための鍵を解除する情報を生成または選択し、
前記鍵情報により前記ＩＣカードを活性化し電子情報記録及び券面印刷を行うことを特徴とするＩＣカード発行システムである。
【００１５】
この請求項２に記載の発明によれば、入力されたＩＣカードの種別情報より、発行すべきＩＣカードの発行機内に設定されている閉塞されたＩＣカードを活性化するための鍵情報を選択、または、生成することでセキュリティ性が大きく上がる。また、ＩＣカードのみが盗難、流出しても、ＩＣカードを梱包したＩＣカードマガジンに記録されているＩＣカードの種別情報がなければ、ＩＣカードを活性化できず、２次発行を行うことができないためセキュリティ性が向上する。
【００１６】
しかも、発行機にＩＣカードマガジンを装填するだけで、ＩＣカードの鍵情報を選択、又は生成するため、発行機による発行作業によって、カード種類や発行鍵の設定ミスがなくなり、生産性が飛躍的に向上する。
【００１７】
請求項３に記載の発明は、ＩＣカードに少なくともＩＣカードを活性化するための鍵情報を生成し電子的に閉塞する工程と、
ＩＣカードをＩＣカードマガジンに充填し密閉する工程と、
前記ＩＣカードマガジンに少なくとも前記ＩＣカードの種別情報を記録する工程と、
前記ＩＣカードマガジンを前記ＩＣカードに電子情報記録及び券面印刷を行う発行機に装填し前記ＩＣカードの種別情報を検出または設定する工程と、
検出した前記ＩＣカードの種別情報より鍵を解除する情報を生成または選択し前記ＩＣカードを活性化し電子情報記録及び券面印刷を行う工程を有することを特徴とするＩＣカード発行システムである。
【００１８】
この請求項３に記載の発明によれば、ＩＣカードのみが盗難、流出しても、ＩＣカードを梱包したＩＣカードマガジンに記録されているＩＣカードの種別情報がなければ、ＩＣカードを活性化できず、２次発行を行うことができないためセキュリティ性が向上する。
【００１９】
請求項４に記載の発明は、予め電子的に閉塞しＩＣカードを活性化するための鍵情報を有したＩＣカードと、
前記ＩＣカードの種別情報と発行機に有する鍵を解除する情報を演算処理を用いて照合を行う処理手段とを有し、
前記ＩＣカードの種別情報と前記鍵を解除する情報との同一性を検出したものについて、鍵を解除する情報を用いて前記ＩＣカードを活性化し電子情報記録及び券面印刷を行うことを特徴とするＩＣカード発行システムである。
【００２０】
この請求項４に記載の発明によれば、ＩＣカードのみが盗難、流出しても、ＩＣカードの種別情報がなければ、ＩＣカードを活性化できず、２次発行を行うことができないためセキュリティ性が向上する。また、発行するための鍵情報が、ある製造日時より変更になったり、製造ｌｏｔが変更になったり、仕向先が変更になったり等した場合にも、発行機での関数の変更により、照合が可能になるため、生産性が飛躍的に向上するとともに、ＩＣカードの種別情報、鍵を解除する情報、演算の情報、及びＩＣカードの４点を同時に入手しなければ、閉塞されたＩＣカードを活性化することができないため、セキュリティ性が飛躍的に向上する。
【００２１】
請求項５に記載の発明は、前記ＩＣカードの種別情報が、前記ＩＣカードを収納したＩＣカードマガジンに添付されたことを特徴とする請求項４に記載のＩＣカード発行システムである。
【００２２】
この請求項５に記載の発明によれば、ＩＣカードのみが盗難、流出しても、ＩＣカードを梱包したＩＣカードマガジンに添付されているＩＣカードの種別情報がなければ、ＩＣカードを活性化できず、２次発行を行うことができないためセキュリティ性が向上する。
【００２３】
請求項６に記載の発明は、前記ＩＣカードマガジンに電子情報を有するＩＣチップを埋め込みまたは貼り付け、接触方式または非接触方式により検出することを特徴とする請求項２乃至請求項５のいずれか１項に記載のＩＣカード発行システムである。
【００２４】
この請求項６に記載の発明によれば、ＩＣカードのみが盗難、流出しても、ＩＣカードマガジンに電子情報を有するＩＣチップを埋め込みまたは貼り付け、接触方式または非接触方式により検出し、ＩＣカードの種別情報がなければ、ＩＣカードを活性化できず、２次発行を行うことができないためセキュリティ性が向上する。
【００２５】
請求項７に記載の発明は、前記ＩＣカードマガジンに２値画像よりなる光学読み取り方式による電子情報を有し、非接触方式により検出することを特徴とする請求項２乃至請求項５のいずれか１項に記載のＩＣカード発行システムである。
【００２６】
この請求項７に記載の発明によれば、ＩＣカードのみが盗難、流出しても、ＩＣカードマガジンに２値画像よりなる光学読み取り方式による電子情報を有し、非接触方式により検出し、ＩＣカードの種別情報がなければ、ＩＣカードを活性化できず、２次発行を行うことができないためセキュリティ性が向上する。
【００２７】
請求項８に記載の発明は、前記ＩＣカードマガジンに磁気読み取り方式による電子情報を有し、接触方式により検出することを特徴とする請求項２乃至請求項５のいずれか１項に記載のＩＣカード発行システムである。
【００２８】
この請求項８に記載の発明によれば、ＩＣカードのみが盗難、流出しても、ＩＣカードマガジンに磁気読み取り方式による電子情報を有し、接触方式により検出し、ＩＣカードの種別情報がなければ、ＩＣカードを活性化できず、２次発行を行うことができないためセキュリティ性が向上する。
【００２９】
請求項９に記載の発明は、前記ＩＣカードの種別情報が、製造年月日・製造ロット・製造場所・カード種類からなるカード製造情報、ＩＣカードを活性化するための鍵情報の一部から選ばれる情報であることを特徴とする請求項１乃至請求項８のいずれか１項に記載のＩＣカード発行システムである。
【００３０】
この請求項９に記載の発明によれば、ＩＣカードの種別情報が、製造年月日・製造ロット・製造場所・カード種類からなるカード製造情報、ＩＣカードを活性化するための鍵情報の一部から選ばれる情報であることが好ましい。
【００３１】
請求項１０に記載の発明は、予め電子的に閉塞しＩＣカードを活性化するための鍵情報を有したＩＣカードを収納したＩＣカードマガジンを装填する手段と、
装填した前記ＩＣカードマガジンより記録されたＩＣカードの種別情報を読み出しまたは前記ＩＣカードの種別情報を設定する手段と、
検出した前記ＩＣカードの種別情報より鍵を解除する情報を生成または選択する手段と、
前記鍵情報によりＩＣカードを活性化し電子情報記録を行う手段と、
前記ＩＣカードに券面印刷を行う手段と、
前記券面印刷を保護する保護材を付加する手段とを有することを特徴とするＩＣカード発行装置である。
【００３２】
この請求項１０に記載の発明によれば、装填したＩＣカードマガジンより記録されたＩＣカードの種別情報を読み出しまたはＩＣカードの種別情報を設定し、
検出したＩＣカードの種別情報より鍵を解除する情報を生成または選択し、鍵情報によりＩＣカードを活性化し電子情報記録を行い、ＩＣカードに券面印刷を行い、券面印刷を保護する保護材を付加することで、セキュリティ性を改善し、なお且つ製造効率を高い次元で改善することが可能である。
【００３３】
請求項１１に記載の発明は、前記読み出した情報で、ＩＣカードを活性化し電子情報記録を行う手段の動作、非動作を選択する手段を有することを特徴とする請求項１０に記載のＩＣカード発行装置である。
【００３４】
この請求項１１に記載の発明によれば、読み出した情報で、ＩＣカードを活性化し電子情報記録を行う手段の動作、非動作を選択することで、セキュリティ性が向上する。
【００３５】
請求項１２に記載の発明は、前記ＩＣカードの種別情報が、製造年月日・製造ロット・製造場所・カード種類からなるカード製造情報、ＩＣカードを活性化するための鍵情報の一部から選ばれる情報であることを特徴とする請求項１０または請求項１１に記載のＩＣカード発行装置である。
【００３６】
この請求項１２に記載の発明によれば、ＩＣカードの種別情報が、製造年月日・製造ロット・製造場所・カード種類からなるカード製造情報、ＩＣカードを活性化するための鍵情報の一部から選ばれる情報であることが好ましい。
【００３７】
【発明の実施の形態】
以下、この発明のＩＣカード発行システム及びＩＣカード発行装置の実施の形態を図面に基づいて詳細に説明するが、この発明は、この実施の形態に限定されない。また、この発明の実施の形態は、発明の最も好ましい形態を示すものであり、この発明の用語はこれに限定されない。
【００３８】
図１はこの発明の実施の形態におけるフロー図を示す。図１に示すとおり、この発明は、ＩＣチップ、アンテナを有するＩＣカードを製造し、この製造後、例えば個人認証用カードとして２次発行といわれる氏名、住所、顔画像、電子マネーなどの個人情報や金銭情報を記録し、券面印刷を行って完成する（ステップＳａ１）。
【００３９】
カード製造時に、０次発行と言われる初期化、１次発行と言われるファイル構造の生成などを行い、カードを電子的に閉塞、解除するための鍵情報（輸送鍵）をＩＣカードに記録し閉塞を行う（ステップＳａ１）。鍵情報の受け渡しは秘密裏に扱われ、発行機１で照合、解除されるが、この発明においては、ＩＣカードの種別情報を元に発行機１により鍵情報の生成、または選択を行う。これにより、カード鍵情報（輸送鍵）に加え、ＩＣカードの種別情報、発行機内で生成、選択を行う鍵情報、の３種の照合確認がなければ、２次発行が行われず、飛躍的にセキュリティ性が向上する。
【００４０】
閉塞処理が行われたＩＣカードは、発行機１へセットされる（ステップＳａ２）。セットされたＩＣカードのカード種別を記録した情報は、簡単に盗まれない環境、または流出しないよう、物理的に管理された媒体として、電子媒体、印刷物等により手動または自動で発行機１へ入力される（ステップＳａ３）。このとき情報は、暗号化されていてもいなくても良いが、暗号化されていてもセキュリティ上よい。また、ハッシュ関数や暗号鍵等の公知の照合方法を組み込んでおいてもよい。ＩＣカードの種別情報は、少なくとも製造年月日・製造ロット・製造場所・カード種類などからなるカード製造情報、ＩＣカードを活性化するための鍵情報の一部から選ばれることが好ましい。
【００４１】
上記に記載の通りＩＣカード閉塞に用いられている鍵情報（輸送鍵）と同一な鍵ではセキュリティ性が低下するため、入力されたＩＣカードの種別情報より、発行すべきＩＣカードの発行機内に設定されている閉塞されたＩＣカードを活性化するための鍵情報を選択、または、生成することでセキュリティ性が大きく上がる（ステップＳａ４）。
【００４２】
選択された又は生成された鍵情報を用いてＩＣカードに対し所定の照合コマンドを用いて照合を行い（ステップＳａ５）、一致確認した場合、ＩＣカードを活性化させる（ステップＳａ６）。不一致の場合、ＩＣカードの活性化はされない。この場合、所定の回数の失敗でＩＣカードを完全閉塞してもよい（ステップＳａ７）。
【００４３】
活性化されたＩＣカードは、２次発行処理による書込動作を許可され、例えば個人認証用カードとして氏名、住所、電子マネーなどの個人情報や金銭情報を記録する。このとき、ＩＣカード内に記録されている鍵情報のみを使用不能または、消去することが、セキュリティ上好ましい。ついでＩＣカード券面へ印刷を施しＩＣカードが完成する（ステップＳａ８）。
【００４４】
図２はＩＣカードのＩＣカードの種別情報をＩＣカードを装填したＩＣカードマガジンへ設けた場合のフロー図を示す。カード製造時に、０次発行と言われる初期化、１次発行と言われるファイル構造の生成などを行い、カードを電子的に閉塞、解除するための鍵情報（輸送鍵）をＩＣカードに記録し閉塞を行う（ステップＳｂ１）。製造されたＩＣカードを梱包し、この梱包して密封したＩＣカードマガジンに、ＩＣカードの種別情報を記録する（ステップＳｂ２）。上述の通りＩＣカードの種別情報は、少なくとも製造年月日・製造ロット・製造場所・カード種類などからなるカード製造情報、ＩＣカードを活性化するための鍵情報の一部から選ばれることが好ましい。
【００４５】
ＩＣカードマガジンを発行機１にセットし（ステップＳｂ３）、この発行機１でＩＣカードマガジンに記録されたＩＣカードの種別情報を読み取り（ステップＳｂ４）、
上記に記載の通りＩＣカード閉塞に用いられている鍵情報（輸送鍵）と同一な鍵ではセキュリティ性が低下するため、入力されたＩＣカードの種別情報より、発行すべきＩＣカードの発行機内に設定されている閉塞されたＩＣカードを活性化するための鍵情報を選択、または、生成することでセキュリティ性が大きく上がる。また、ＩＣカードのみが盗難、流出しても、ＩＣカードを梱包したＩＣカードマガジンに記録されているＩＣカードの種別情報がなければ、ＩＣカードを活性化できず、２次発行を行うことができないためセキュリティ性が向上する（ステップＳｂ５）。
【００４６】
しかも、発行機１にＩＣカードマガジンを装填するだけで、ＩＣカードの鍵情報を選択、又は生成するため、発行機による発行作業によって、カード種類や発行鍵の設定ミスがなくなり、生産性が飛躍的に向上する。
【００４７】
選択された又は生成された鍵情報を用いてＩＣカードに対し所定の照合コマンドを用いて照合を行い（ステップＳｂ６）、一致確認した場合、ＩＣカードを活性化させる（ステップＳｂ７）。不一致の場合、ＩＣカードの活性化されない。この場合、所定の回数の失敗でＩＣカードを完全閉塞してもよい（ステップＳｂ８）。
【００４８】
活性化されたＩＣカードは、２次発行処理による書込動作を許可され、例えば個人認証用カードとして氏名、住所、電子マネーなどの個人情報や金銭情報を記録する。このとき、ＩＣカード内に記録されている鍵情報のみを使用不能または、消去することが、セキュリティ上好ましい。ついでＩＣカード券面へ印刷を施しＩＣカードが完成する（ステップＳｂ９）。
【００４９】
図３はＩＣカードの種別情報（Ｂ）をＩＣカードを装填したＩＣカードマガジンへ設けた場合の別の構成フローを示す。カード製造時に、０次発行と言われる初期化、１次発行と言われるファイル構造の生成などを行い、カードを電子的に閉塞、解除するための鍵情報（輸送鍵）をＩＣカードに記録し閉塞を行う（ステップＳｃ１）。製造されたＩＣカードを梱包し、この梱包して密封したＩＣカードマガジンに、ＩＣカードの種別情報を記録する（ステップＳｃ２）。
【００５０】
ＩＣカードマガジンを発行機１にセットし（ステップＳｃ３）、この発行機１で記録されたＩＣカードの種別情報を検出する（ステップＳｃ４）。ついで、発行機１内に設定された鍵を解除する情報（Ａ）を読み出す。読み出した情報（Ａ）と、ＩＣカードの種別情報（Ｂ）を演算ｆにより（ステップＳｃ５）、（Ａ）＝ｆ（Ｂ）を行い、同一性を照合する（ステップＳｃ６）。同一性が照合された場合（ステップＳｃ７）、鍵を解除する情報（Ａ）により、閉塞されたＩＣカードを活性化する（ステップＳｃ８）。不一致の場合、ＩＣカードの活性化はされない。この場合、所定の回数の失敗でＩＣカードを完全閉塞してもよい（ステップＳｃ９）。
【００５１】
活性化されたＩＣカードは、２次発行処理による書込動作を許可され、例えば個人認証用カードとして氏名、住所、電子マネーなどの個人情報や金銭情報を記録する。このとき、ＩＣカード内に記録されている鍵情報のみを使用不能または、消去することが、セキュリティ上好ましい。ついでＩＣカード券面へ印刷を施しＩＣカードが完成する（ステップＳｃ１０）。
【００５２】
ＩＣカードのみが盗難、流出しても、ＩＣカードを梱包したＩＣカードマガジンに記録されているＩＣカードの種別情報（Ｂ）がなければ、ＩＣカードを活性化できず、２次発行を行うことができないためセキュリティ性が向上する。また、発行するための鍵情報が、ある製造日時より変更になったり、製造ｌｏｔが変更になったり、仕向先が変更になったり等した場合にも、発行機１での関数ｆの変更により、照合が可能になるため、生産性が飛躍的に向上するとともに、ＩＣカードの種別情報（Ｂ）、鍵を解除する情報（Ａ）、演算ｆ、の情報、及びＩＣカードの４点を同時に入手しなければ、閉塞されたＩＣカードを活性化することができないため、セキュリティ性が飛躍的に向上する。
【００５３】
図４及び５はこの発明の実施の形態におけるＩＣカードマガジンを示す。図４はＩＣカードマガジン１０へのＩＣカードの種別情報を２値画像であるバーコード１１により記録し、読取器１２により光学的に検出する場合の実施の形態である。図５はＩＣカードマガジン１０へのＩＣカードの種別情報をＩＣチップ及びアンテナを有するＩＣカードまたはＩＣタグ１３に記録し、読取器１４により非接触で検出する場合の実施の形態である。
【００５４】
図６はこの発明のＩＣカード発行装置を示したものである。ＩＣカードの種別情報３０を、ＩＣカードが収納されるＩＣカードマガジン１０へ設け、このＩＣカードマガジン１０をＩＣカード発行装置３１へセットする。
【００５５】
マガジン情報読取装置３２によりＩＣカードマガジン１０に設けられたＩＣカードの種別情報３０を読み取り、ＩＣカードマガジン１０より検出したＩＣカードの種別情報を中央制御装置３３により鍵を解除する情報を生成または選択する。ＩＣカード４０はＩＣカードマガジン１０より１枚づつ取り出され、搬送されながら券面に例えば個人認証用カードとして氏名、住所、顔画像、などの個人情報が券面印刷装置３４により印刷される。この印刷は、特に制限がないが、溶融印字、昇華転写、インクジェット等が用いられる。
【００５６】
券面印刷が終了後、中央制御装置３３により、生成または選択された鍵情報を、ＩＣカード４０とのＩＣチップ通信装置３５によりＩＣカード４０を活性化し電子情報記録を行う。次に、券面印刷を保護する券面保護装置３６により保護を行い、良品スタッカ３７へ排出される。
【００５７】
券面保護装置３６による保護は、特に制限はないがラミネート、ＵＶ硬化層塗工、ＵＶ樹脂硬化箔転写等により行われることが好ましい。また、鍵情報の不一致などでＩＣカード４０が活性化できなかったり等した不良品カードは、不良品スタッカ３８へ排出される。この不良品スタッカ３８への排出は、券面保護を行う前に排出するのが、セキュリティ上、また生産性上好ましい。
【００５８】
【発明の効果】
前記したように、請求項１乃至請求項１２に記載の発明では、ＩＣカードの鍵情報に加え、ＩＣカードの種別情報と、発行機内で生成、選択を行う鍵情報との３種の照合確認がなければ、ＩＣカードの２次発行が行われず、飛躍的にセキュリティ性が向上し、製造効率を高い次元で改善することができる。
【図面の簡単な説明】
【図１】この発明の実施の形態におけるフロー図である。
【図２】ＩＣカードのカード種別情報をＩＣカードを装填したＩＣカードマガジンへ設けた場合のフロー図である。
【図３】ＩＣカードの種別情報をＩＣカードを装填したＩＣカードマガジンへ設けた場合の別の構成フローを示す図である。
【図４】この発明の実施の形態におけるＩＣカードマガジンを示す図である。
【図５】この発明の実施の形態におけるＩＣカードマガジンを示す図である。
【図６】ＩＣカード発行装置の概略構成図である。
【符号の説明】
１  発行機
１０  ＩＣカードマガジン
１１  バーコード
１２，１４  読取器
１３  ＩＣカードまたはＩＣタグ
３０  ＩＣカードのカード種別情報
３１  ＩＣカード発行装置
３２  マガジン情報読取装置
３３  中央制御装置
３５  ＩＣチップ通信装置
３６  券面保護装置
４０  ＩＣカード
【図１】
2005044056.tif 000003
【図２】
2005044056.tif 000004
【図３】
2005044056.tif 000005
【図４】
2005044056.tif 000006
【図５】
2005044056.tif 000007
【図６】
2005044056.tif 000008